(57)【要約】【課題】選別性能が高く、磁性金属、非磁性金属、非金属分類物質の分離作業を行い、比重、磁性などの物理特性の違いに応じて異なる金属を撥ね飛ばす渦電流選別機を提供する。【解決手段】渦電流選別機は、駆動ギア１０と、渦電流ギア２０と、２個の補助ローラ３０と、駆動ギア１０、渦電流ギア２０及び２個の補助ローラ３０に巻き掛けるベルトコンベア４０とを備える。駆動ギア１０は、ベルトコンベア４０の一端に設置される。渦電流ギア２０及び２個の補助ローラ３０は、ベルトコンベア４０の他端に設置される。２個の補助ローラ３０と駆動ギア１０との組み合わせによりベルトコンベア４０のテンションを高め、駆動ギア１０に駆動モータ１１を連結し、ベルトコンベア４０により金属・非金属の被分類物を一定速度で移動させる。渦電流ギア２０は、ベルトコンベア４０の前端に設置される。【選択図】図２
0003209464.tif 000002
【実用新案登録請求の範囲】
【請求項１】
駆動ギアと、渦電流ギアと、２個の補助ローラと、前記駆動ギア、前記渦電流ギア及び前記２個の補助ローラに巻き掛けるベルトコンベアと、を備える渦電流選別機であって、
前記駆動ギアは、前記ベルトコンベアの一端に設置され、
前記渦電流ギア及び前記２個の補助ローラは、前記ベルトコンベアの他端に設置され、
前記２個の補助ローラと前記駆動ギアとの組み合わせにより前記ベルトコンベアのテンションを高め、前記駆動ギアに駆動モータを連結し、前記ベルトコンベアにより金属・非金属の被分類物を一定速度で移動させ、前記渦電流ギアは、前記ベルトコンベアの前端に設置され、
前記渦電流ギアにより前記ベルトコンベアに励磁性能を発生させて前記金属・非金属の被分類物を選別・分類して材料落下部で撥ね飛ばす上、複数の収集ユニットそれぞれを前記ベルトコンベア末端の前記材料落下部外側の所定の箇所へ設置し、前記金属・非金属の被分類物を撥ね飛ばして落下させ、前記渦電流ギア及び前記駆動ギアは、分離式で連動せず、前記渦電流ギアを独立させて駆動部材を介して高速回転させ、磁力を高めて選別性能及び発射効果を高め、動作により発生する熱は、前記渦電流ギアが独立式で動作するため、放熱性能が効果的に高まり、取り外すことが可能で、使用寿命を延ばして製造コストを減らすことを特徴とする渦電流選別機。
【請求項２】
前記収集ユニットは、異なる物理特性を有する非鉄金属が異なる発射軌道を有し、前記非鉄金属の発射距離、落下角度に対応するように設置されることを特徴とする請求項１に記載の渦電流選別機。
【請求項３】
前記渦電流ギアは、前記２個の補助ローラ間に介装されるとともに、互いに対をなす２個のフレームにより挟持されることを特徴とする請求項１に記載の渦電流選別機。
【請求項４】
前記２個の補助ローラの位置を前記２個のフレーム間で調整して前記ベルトコンベアのテンションを調整することを特徴とする請求項３に記載の渦電流選別機。
【請求項５】
前記２個の補助ローラの傾斜角度により前記ベルトコンベアのテンションを高めることを特徴とする請求項３に記載の渦電流選別機。
【考案の詳細な説明】
【技術分野】
【０００１】
本考案は、渦電流選別機に関し、特に、選別性能が高く、磁性金属、非磁性金属、非金属分類物質の分離作業を行い、比重、磁性などの物理特性の違いに応じて異なる金属を撥ね飛ばす渦電流選別機に関する。
【背景技術】
【０００２】
図６に示すように、従来の金属物質又は非金属物質を選別して資源の分類・回収を行う渦電流選別機６０は、ベルトコンベア６３を一定の速度で駆動させる外駆動ギア６１と、偏心方式で駆動ギア内に設置する内渦電流ギア６２と、を有し、内渦電流ギア６２は、駆動ギアの周囲と、駆動ギアの末端とに励磁磁場を印加し、濾過されていない金属物質又は非金属物質をベルトコンベア６３の表面に一時的に付着させ、ベルトコンベア６３の末端を通過するときに、内渦電流ギア６２が励磁する渦電流性能により金属物質及び非金属物質を分類して撥ね飛ばすと、引力により金属収集ユニット６４及び非金属収集ユニット６４ａ中に対応するように直接落下するが、従来の渦電流選別機に設置した内渦電流ギア６２が駆動ギア内に設置されているため、磁力及び回転速度が所望の強度に達することがなく、撥ね飛ばす能力に直接影響し、異なる金属物質の選別性能が低く、金属物質がベルトコンベア６３上で搬送される際に、初期の段階で磁性の金属物質が完全に分離されずに、一部の磁性金属物質が内渦電流ギア６２を通過するときにベルトコンベア６３上に付着し、金属屑が損壊したりベルトコンベア６３が焼損したりする虞がある上、従来の内渦電流ギア６２が駆動ギア内に設置されているため、メンテナンスを行う際、取り出すことが困難であり、内渦電流ギア６２の放熱は容易でなく、回転数を高めることが困難である問題が発生し、使用寿命が短く、経済性が低かった。
【考案の概要】
【考案が解決しようとする課題】
【０００３】
本考案の第１の目的は、駆動ギア及び渦電流ギアをベルトコンベアの両端にそれぞれ設け、ベルトコンベアの端部に設置した渦電流ギアの励磁により金属・非金属の被分類物を撥ね飛ばして落下させ、渦電流ギアと駆動ギアとを分離することにより、渦電流ギアを独立させて回転数と、感応磁力面の性能と、選別性能とを高め、異なる比重、磁性の金属・非金属被分類物（鉛、アルミニウム、銅金属を含む）の金属物質の違いと、感磁特性の違いとにより、落下して入る収集ユニットを選別し、物理特性が異なる非鉄金属物質の発射性能を最適に保ち、渦電流ギアが発生させる高熱を排出する性能を高めるとともに、メンテナンス及び分解を容易に行って製造コストを下げる渦電流選別機を提供することにある。
本考案の第２の目的は、ベルトコンベアにより金属・非金属の被分類物を移動させる過程で、その上方に設けた強力磁力板により磁性金属物質をまず吸い取り、ベルトコンベアに設けた強力磁力板により、金属・非金属の被分類物の磁性金属物質を吸い取って除去することにより渦電流ギアを通過するときに熱が発生してベルトコンベアが溶けることを防ぎ、使用寿命を大幅に延ばす渦電流選別機を提供することにある。
本考案の第３の目的は、２個の補助ローラの位置を２個のフレーム間で調整してベルトコンベアのテンションを調整し、２個の補助ローラを調整し、ベルトコンベアを外方へ引っ張り２個の補助ローラの位置を変えることにより渦電流ギアとベルトコンベアとの間の距離を調整し、渦電流ギアの励磁作用で反応し、必要な交番磁束に応じて微調整し、被分類物を選別する際、異なる物理特性の非鉄金属の異なる発射軌道に応じて渦電流ギア及びベルトコンベアに発生する磁束位置を微調整する渦電流選別機を提供することにある。
【図面の簡単な説明】
【０００４】
【図１】本考案の一実施形態に係る渦電流選別機を示す斜視図である。
【図２】本考案の一実施形態に係る渦電流選別機の別の角度からの斜視図である。
【図３】本考案の一実施形態に係る渦電流選別機の使用状態の説明図である。
【図４】本考案の一実施形態に係る渦電流選別機の２個の補助ローラの位置を調整するときの状態を示す説明図である。
【図５】本考案の一実施形態に係る渦電流選別機の２個の補助ローラの位置を調整するときの状態を示す説明図である。
【図６】従来技術の渦電流選別機を示す説明図である。
【考案を実施するための形態】
【０００５】
まず、図１及び図２を参照する。図１及び図２に示すように、本考案の一実施形態に係る渦電流選別機は、駆動ギア１０と、渦電流ギア２０と、２個の補助ローラ３０と、駆動ギア１０、渦電流ギア２０及び２個の補助ローラ３０に巻き掛けるベルトコンベア４０と、から構成されてなる。駆動ギア１０は、ベルトコンベア４０の一端に設置される。渦電流ギア２０は、２個の補助ローラ３０間に介装されるとともに、互いに対をなす２個のフレーム２１により挟持される。渦電流ギア２０及び２個の補助ローラ３０は、ベルトコンベア４０の他端に設置される。２個の補助ローラ３０の傾斜角度によりベルトコンベア４０のテンションを高める。駆動ギア１０には、駆動モータ１１が連結され、ベルトコンベア４０により金属・非金属の被分類物を一定速度で移動させる。渦電流ギア２０がベルトコンベア４０の前端で駆動し、渦電流ギア２０の回転によりＮ極とＳ極とが交替されると、回転により励磁作用が発生して磁束が変化し、ベルトコンベア４０に発生する励磁により金属・非金属の被分類物を選別・分類して材料落下部４１で撥ね飛ばす。ベルトコンベア４０末端の材料落下部４１外側の所定の箇所に複数の収集ユニット５０が設置され、撥ね飛ばされた金属・非金属の被分類物が収集ユニット５０に落下する。これら複数の収集ユニット５０は、異なる物理特性を有する非鉄金属が異なる発射軌道を有し、それぞれ非鉄金属の発射距離、落下角度と、に応じて設置される。渦電流ギア２０と駆動ギア１０とは、互いに分離して連動せず、渦電流ギア２０を独立させて駆動部材２２を介して高速回転させ、磁力を高めて選別性能及び発射効果を高め、渦電流選別機を完成させる。
【０００６】
図２及び図３を参照する。図２及び図３に示すように、本考案の一実施形態に係る渦電流選別機が作動すると、金属・非金属を有する被分類物Ａが混合され、原料投入口Ｂからベルトコンベア４０上へ落下し、駆動ギア１０が回転するとベルトコンベア４０により金属・非金属の被分類物Ａが材料落下部４１へ移動・搬送され、搬送過程で他方のベルトコンベア４０の上方に設けた強力磁力板４２により、複数の被分類物Ａに含まれる磁性金属物質がベルトコンベア４０に吸い取られて選別され、残留した非磁性金属（非磁性導体）の金属・非金属の被分類物Ａが材料落下部４１へ向かって移動し続け、材料落下部４１が独立した渦電流ギア２０に発生した励磁渦電流の作用力に直接反応し、効果的に異なる比重、磁性の金属・非金属の被分類物Ａ（例えば、鉛、アルミニウム、銅金属物質）を物理特性及び感磁特性の違いに応じ、各種金属物質をさらに細かく判別して撥ね飛ばし、対応した収集ユニット５０Ａ，５０Ｂ中に落下させる。非金属物質は、渦電流に反応せず、地球の引力により材料落下部４１に最も近い収集ユニット５０中に落下し、これによりベルトコンベア４０の搬送過程で設けた強力磁力板４２を利用し、最初に磁性金属物質を吸い除くことにより、渦電流ギア２０を通過するときに発熱し、ベルトコンベア４０が焼損することを防いで、使用寿命を延ばすことができる。
【０００７】
また、２個の補助ローラ３０の位置を２個のフレーム２１間で調整してベルトコンベア４０のテンションを調整し、図４及び図５に示すように、２個の補助ローラ３０を調整する際、ベルトコンベア４０を外方へ引っ張り、渦電流ギア２０とベルトコンベア４０との間の距離を２個の補助ローラ３０の位置を変えて調整し、渦電流ギア２０の励磁作用により、必要な交番磁束に応じて微調整し、被分類物Ａを選別する際、異なる物理特性の非鉄金属の異なる発射軌道に応じて渦電流ギア２０及びベルトコンベア４０に発生する磁束位置を微調整する。
【０００８】
また、渦電流ギア２０と駆動ギア１０とが分離されて渦電流ギア２０が独立し、駆動部材２２により回転数を高めて感応磁力面の性能を高めて選別性能を高め、異なる物理特性を有する非鉄金属物質の発射性能を最適に保ち、渦電流ギア２０を独立して作動させ、作動するときの放熱性能を大幅に高め、動作により発生する熱を効果的に下げるとともに、フレーム２１上で２個の補助ローラ３０を調整し、メンテナンスしたり取り外したりすることが容易なため、製造コストを減らすことができる。そのため、本考案の渦電流選別機を砂石、焼却炉、資源回収、製材その他正確な分類を行う産業又は金属を完璧に除去する必要がある産業に応用して金属・非金属物質の選別・回収を行い、放熱性能が高く、取り外しが容易で、遠くへ撥ね飛ばすこともできる。
【符号の説明】
【０００９】
１０  駆動ギア
１１  駆動モータ
２０  渦電流ギア
２１  フレーム
２２  駆動部材
３０  補助ローラ
４０  ベルトコンベア
４１  材料落下部
４２  強力磁力板
５０  収集ユニット
５０Ａ  収集ユニット
５０Ｂ  収集ユニット
６０  渦電流選別機
６１  外駆動ギア
６２  内渦電流ギア
６３  ベルトコンベア
６４  金属収集ユニット
６４ａ  非金属収集ユニット
Ａ  被分類物
Ｂ  原料投入口
【図１】
0003209464.tif 000003
【図２】
0003209464.tif 000004
【図３】
0003209464.tif 000005
【図４】
0003209464.tif 000006
【図５】
0003209464.tif 000007
【図６】
0003209464.tif 000008